(57)【要約】【課題】熱交換器から除霜水や結露水を速やかに排除できるようにする。【解決手段】パラレルフロー型熱交換器１は、上部ヘッダパイプ２及び下部ヘッダパイプ３と、上部ヘッダパイプ２及び下部ヘッダパイプ３の間に複数配置され、内部の冷媒通路５をヘッダパイプの内部に連通させた偏平チューブ４と、偏平チューブ４間に配置されたコルゲートフィン６を備える。熱交換器１に組み合わせられる露取り装置１０は、熱交換器１の外面に接触する露取り部材２０と、この露取り部材２０を前記外面に対し相対移動させる駆動部３０を備える。【選択図】図１
2010025442.tif 000002
【特許請求の範囲】
【請求項１】
熱交換器の外面に接触する露取り部材と、この露取り部材を前記外面に対し相対移動させる駆動部を備えることを特徴とする熱交換器の露取り装置。
【請求項２】
前記駆動部は前記露取り部材を前記外面と平行する形で移動させることを特徴とする請求項１に記載の熱交換器の露取り装置。
【請求項３】
前記露取り部材は吸水性材料または非吸水性弾性材料からなることを特徴とする請求項２に記載の熱交換器の露取り装置。
【請求項４】
前記露取り部材は前記熱交換器を通過する空気から塵埃を捕捉する集塵フィルタであって、前記外面に接触する位置または前記外面から離間する位置のいずれかに前記駆動部によって移動せしめられることを特徴とする請求項１に記載の熱交換器の露取り装置。
【請求項５】
前記露取り部材は前記熱交換器を通過する空気から塵埃を捕捉する集塵フィルタであって、前記外面に接触しつつ、前記駆動部によって当該外面と平行に移動せしめられることを特徴とする請求項１に記載の熱交換器の露取り装置。
【請求項６】
前記熱交換器の中で下向きとなった外面に前記露取り部材が接触することを特徴とする請求項１から５のいずれか１項に記載の熱交換器の露取り装置。
【請求項７】
請求項１から６のいずれか１項に記載の熱交換器の露取り装置を備えることを特徴とする空気調和機。
【発明の詳細な説明】
【技術分野】
【０００１】
本発明は熱交換器の露取り装置及びそれを備えた空気調和機に関する。
【背景技術】
【０００２】
空気調和機等に用いられる熱交換器には、フィンアンドチューブ型、パラレルフロー型、サーペンタイン型といった種類のものがある。フィンアンドチューブ型は、多数の平行するフィンを１本のチューブが蛇行しつつ貫通する形のものであって、一般的に良く用いられている。パラレルフロー型は、２本のヘッダパイプの間に複数の偏平チューブを配置して偏平チューブ内部の冷媒通路をヘッダパイプの内部に連通させるとともに、偏平チューブ間にコルゲートフィン等のフィンを配置したものである。サーペンタイン型は、２本のヘッダパイプの間に偏平チューブを配置するところまではパラレルフロー型と同じであるが、偏平チューブの数が１本であり、この１本の偏平チューブが蛇行し、蛇行する偏平チューブの間にコルゲートフィン等のフィンが配置されている。フィンアンドチューブ型の例は特許文献１に見ることができ、パラレルフロー型とサーペンタイン型の例は特許文献２に見ることができる。
【０００３】
パラレルフロー型熱交換器の一例を図１０に示す。熱交換器１は、上部ヘッダパイプ２と下部ヘッダパイプ３を互いに間隔を置いてそれぞれ水平に、すなわち互いに平行する形で配置し、上部ヘッダパイプ２と下部ヘッダパイプ３の間に上下方向に延びる偏平チューブ４を所定ピッチで複数配置したものである。偏平チューブ４はアルミニウム等熱伝導の良い金属を押出成型した細長い成型品であり、内部には冷媒を流通させる冷媒通路５が形成されている。冷媒通路５は断面形状及び断面面積の等しいものが図１０の奥行き方向に複数個並び、そのため偏平チューブ４はハーモニカのような断面を呈している。各冷媒通路５は上部ヘッダパイプ２及び下部ヘッダパイプ３の内部に連通する。
【０００４】
偏平チューブ４同士の間にはコルゲートフィン６が配置される。上部ヘッダパイプ２及び下部ヘッダパイプ３と偏平チューブ４、及び偏平チューブ４とコルゲートフィン６はそれぞれ溶着またはロウ付けにより固定される。偏平チューブ４の他、上部ヘッダパイプ２、下部ヘッダパイプ３、及びコルゲートフィン６もアルミニウム等熱伝導の良い金属からなる。
【０００５】
下部ヘッダパイプ３の一端には冷媒流入口７が設けられている。上部ヘッダパイプ２には、冷媒流入口７と対角をなす端に、冷媒流出口８が設けられている。
【０００６】
上部ヘッダパイプ２と下部ヘッダパイプ３の間に多数の偏平チューブ４を設け、偏平チューブ４間にコルゲートフィン６を設けた構造であるから、パラレルフロー型熱交換器１には多量の冷媒を流すことができ、放熱（吸熱）量を多くすることができる。また、フィンアンドチューブ型熱交換器では拡管したチューブとフィンの間に隙間が残り、この隙間が熱伝導に対する抵抗となって熱交換効率が上がらないことがあるが、パラレルフロー型熱交換器では、フィンとチューブをロウ付けして金属結合で固定し、隙間をなくすことが可能である。このため、パラレルフロー型熱交換器はフィンアンドチューブ型熱交換器に比べて熱伝導に対する抵抗を小さくでき、効率的に熱交換を行うことができる。
【特許文献１】実開平４−６８９２１号公報
【特許文献２】特開２００５−５５１０８号公報
【発明の開示】
【発明が解決しようとする課題】
【０００７】
パラレルフロー型熱交換器を蒸発器として使用する場合、冷媒通路を低温の冷媒が流れ、偏平チューブやコルゲートフィンの表面温度が低下する。これにより、空気中の水分が偏平チューブやコルゲートフィンの表面に霜となって付着するという現象（着霜現象）が起きる。着霜が生じると偏平チューブやコルゲートフィンから空気への冷熱伝達が悪くなり、またコルゲートフィンの隙間が狭められて空気が流れにくくなるので、熱交換効率が低下する。このため、時々は蒸発器と凝縮器の役割を逆転する除霜運転を行い、霜を溶かすようにしている。
【０００８】
霜が溶けた水、すなわち除霜水が偏平チューブやコルゲートフィンに付着したままであると、除霜運転から通常運転に戻ったときにそれが結氷し、熱交換効率を低下させてしまう。しかも、除霜を繰り返すと氷が成長し、熱交換器を破壊しかねない。従って除霜水は速やかに排水する必要がある。
【０００９】
また、空気調和機の室内ユニットでは、冷房運転の際に室内空気との熱交換で熱交換器に結露が生じる。空気調和機の室外ユニットでは、暖房運転の際に室外空気との熱交換で熱交換器に結露が生じる。結露水も、空気流通路の断面積を狭めて熱交換性能を低下させる原因となるので、速やかに排水する必要がある。
【００１０】
サーペンタイン型熱交換器やフィンアンドチューブ型熱交換器でも同じことであり、除霜水や結露水をそのままにしておくと熱交換効率が低下するので、除霜水や結露水は発生後速やかに排水することが望ましい。
【００１１】
フィンアンドチューブ型熱交換器は、フィンが重力方向に平行であるため水は重力でフィンに沿って流れ落ちるから、排水が速やかである。これに対しパラレルフロー型熱交換器やサーペンタイン型熱交換器では、図１０に示すように偏平チューブとフィンで囲まれた狭い空間が生じており、この空間に水の表面張力によるブリッジ現象（水の膜が張ること）が生じることが問題となる。実際これらの熱交換器では、例え熱交換器を斜めに設置し、水がコルゲートフィンの端まで垂れて来るようにしていても、そこに水膜が張るのみで、滴下に至らないという事態がしばしば発生する。
【００１２】
本発明は上記の点に鑑みなされたものであり、熱交換器から除霜水や結露水を速やかに排除できるようにすることを目的とする。
【課題を解決するための手段】
【００１３】
上記目的を達成するために本発明は、熱交換器の外面に接触する露取り部材と、この露取り部材を前記外面に対し相対移動させる駆動部を備える熱交換器の露取り装置であることを特徴としている。
【００１４】
この構成によると、熱交換器の外面に付着した水あるいは熱交換器のフィンの隙間等からにじみ出した水を露取り部材で排除するから、除霜水や結露水を速やかに取り除くことができる。
【００１５】
上記構成の熱交換器の露取り装置において、前記駆動部は前記露取り部材を前記外面と平行する形で移動させることが好ましい。
【００１６】
このような構成にすれば、熱交換器外面との接触を保ちつつ露取り部材を移動させることができる。
【００１７】
上記構成の熱交換器の露取り装置において、前記露取り部材は吸水性材料または非吸水性弾性材料からなることが好ましい。
【００１８】
このような構成にすれば、吸水性材料の露取り部材で水を吸い取り、あるいは非吸水性弾性材料で水を払って、除霜水や結露水を速やかに取り除くことができる。
【００１９】
上記構成の熱交換器の露取り装置において、前記露取り部材は前記熱交換器を通過する空気から塵埃を捕捉する集塵フィルタであって、前記外面に接触する位置または前記外面から離間する位置のいずれかに前記駆動部によって移動せしめられることが好ましい。
【００２０】
このような構成にすれば、集塵フィルタで除霜水や結露水を排除でき、集塵フィルタの他に露取り部材を設ける必要がないから、構成が簡素化される。なお、集塵フィルタは吸水性を有するものであってもよいし、非吸水性のものであってもよい。
【００２１】
上記構成の熱交換器の露取り装置において、前記露取り部材は前記熱交換器を通過する空気から塵埃を捕捉する集塵フィルタであって、前記外面に接触しつつ、前記駆動部によって当該外面と平行に移動せしめられることが好ましい。
【００２２】
このような構成にすれば、集塵フィルタで除霜水や結露水を排除でき、集塵フィルタの他に露取り部材を設ける必要がないから、構成が簡素化される。なお、集塵フィルタは吸水性を有するものであってもよいし、非吸水性のものであってもよい。
【００２３】
上記構成の熱交換器の露取り装置において、前記熱交換器の中で下向きとなった外面に前記露取り部材が接触することが好ましい。
【００２４】
このような構成にすれば、水が集まる箇所に露取り部材が接触するので、除霜水や結露水を効率よく排除できる。
【００２５】
また本発明は、上記熱交換器の露取り装置を備えた空気調和機であることを特徴としている。
【００２６】
この構成によると、熱交換器から除霜水や結露水を速やかに取り除くことができる、運転効率の良い空気調和機が得られる。
【発明の効果】
【００２７】
本発明によると、熱交換器の外面に付着した水あるいは熱交換器のフィンの隙間等からにじみ出した水（除霜水や結露水）を露取り部材で速やかに取り除くことができる。また、かかる熱交換器の露取り装置を空気調和機に搭載することにより、空気調和機の運転効率を向上させることができる。
【発明を実施するための最良の形態】
【００２８】
以下本発明の第１実施形態を図１及び図２に基づき説明する。図１は熱交換器及びこれに組み合わせられる露取り装置の概略構造を示す側面図、図２は図１の熱交換器と露取り装置の組み合わせの概略構造を示す正面図である。なお熱交換器は図１０に示したものと同様のパラレルフロー型熱交換器なので、図１０で用いた符号をそのまま付し、説明は省略するものとする。
【００２９】
熱交換器１は、図１では断面で示されている。熱交換器１は垂直ではなく傾斜状態で配置される。すなわち、熱交換器１を通り抜ける気流（図１では矢印で気流方向を示す）に対し、風上側が上向きの斜面となり、風下側が下向きの斜面となるように（言い換えれば、風上側が上向きで風下側が下向きになるように斜めに）配置される。そして熱交換器１の風下側に、すなわち下向きの斜面となった熱交換器１の外面に対し、露取り装置１０が設けられる。
【００３０】
露取り装置１０は露取り部材２０と駆動部３０により構成される。第１実施形態の露取り部材２０は、樋状の保持枠２１と、保持枠２１にはめ込まれて熱交換器１の偏平チューブ４の端面に接触する吸水帯２２により構成される。吸水帯２２は連続気泡の発泡樹脂やフェルトといった吸水性材料からなる。図２に示す通り、露取り部材２０は熱交換器１を横断する形で水平に延び、左端の偏平チューブ４から右端の偏平チューブ４まで、熱交換器１の横幅をカバーする。
【００３１】
駆動部３０は、間隔を置いて配置されたプーリ３１、３２と、プーリ３１、３２に巻き掛けられたベルト３３を備える。ベルト３３は熱交換器１の下向き（風下側）の外面と平行に走る。プーリ３１、３２とベルト３３は熱交換器１の左右に１組ずつ配置されており、両側のベルト３３に露取り部材２０の両端が連結される。左右のプーリ３１は共通の軸３４に固定されており、この軸３４を電動機３５が回転させることにより、左右のプーリ３１が同期回転する。電動機３５は減速機内蔵タイプである。
【００３２】
熱交換器１を蒸発器として用いる（例えば空気調和機の室内側熱交換器として使用し、冷房運転を行うと、熱交換器１は蒸発器の働きをすることになる）と、その表面に結露が生じる。結露水が発生するのに呼応して露取り装置１０が動作する。電動機３５が左右のプーリ３１を同期回転させると左右のベルト３３が同方向に動く。これにより露取り部材２０には、偏平チューブ４とコルゲートフィン６の下向き（風下側）になっている端面と平行して、その端面を下から上へなで上げ、あるいは上から下へなで下ろす動きが生じる。この動きで吸水帯２２は熱交換器１の下向き（風下側）になった外面側に集まっている水を順次吸収する。露取り部材２０は、吸水帯２２が上部ヘッダパイプ２または下部ヘッダパイプ３に接触するか、あるいは接触しそうになる時点で停止せしめられる。熱交換器１から水が十分に吸い取られるまで、露取り部材２０の動きを続ける。
【００３３】
このように第１実施形態の構成では、熱交換器１の外面に付着した水あるいは熱交換器１のコルゲートフィン６の隙間等からにじみ出した水を露取り部材２０が吸収するから、結露水を速やかに取り除くことができる。
【００３４】
続いて本発明の第２実施形態を図３に基づき説明する。図３は熱交換器及びこれに組み合わせられる露取り装置の概略構造を示す側面図である。
【００３５】
第２実施形態が第１実施形態と異なる点は、露取り部材２０の構成である。すなわち第２実施形態の露取り部材２０は、第１実施形態の露取り部材２０のように吸水性材料ではなく、非吸水性弾性材料で構成されている。非吸水性弾性材料の一例として図示するのはナイロン等の剛毛を束ねたブラシ２３である。ブラシ２３が熱交換器１の下向き（風下側）になった外面と平行に動くことにより、その外面側に集まってきた水が払い落とされる。熱交換器１から水が十分に払い落とされるまで、露取り部材２０の動きが続けられる。
【００３６】
ブラシ２３は、図３ではローラ形状とされているが、ローラ形状でなくてもよい。すなわち第１実施形態の露取り部材２０の吸水帯２２を剛毛に変えたようなものであってもよい。またブラシでなく、自動車のワイパーブレードのようなゴムまたは軟質合成樹脂の薄片を用いることもできる。
【００３７】
第２実施形態の構成では、熱交換器１の外面に付着した水あるいは熱交換器１のコルゲートフィン６の隙間等からにじみ出した水を露取り部材２０で物理的に払い落とすから、結露水を速やかに取り除くことができる。
【００３８】
続いて本発明の第３実施形態を図４に基づき説明する。図４は熱交換器と露取り装置の組み合わせの概略構造を示す正面図である。
【００３９】
第３実施形態が第１実施形態あるいは第２実施形態と異なるのは、駆動部３０の構成である。すなわち第３実施形態の駆動部３０は、ベルトではなく直線移動機構３６で露取り部材２０を移動させる仕組みになっている。
【００４０】
直線移動機構３６は、熱交換器１の上部ヘッダパイプ２と平行する形で設置された固定ガイドレール３７と、固定ガイドレール３７に取り付けられ、それに沿ってスライドするスライダ３８により構成される。スライダ３８に露取り部材２０が取り付けられるものであり、この露取り部材２０は偏平チューブ４と平行に配置される。すなわち第３実施形態の露取り部材２０は第１実施形態及び第２実施形態の露取り部材２０と直角をなすものであり、移動方向も第１実施形態及び第２実施形態の露取り部材２０と直角になる。また露取り部材２０の長さも、熱交換器１の横幅にではなく、偏平チューブ４の長さに合わせられている。露取り部材２０の構成は第１実施形態方式と第２実施形態方式のどちらでもよい。
【００４１】
スライダ３８には引張コイルバネ３９の一端が連結される。引張コイルバネ３９の他端は固定部材に連結され、これにより引張コイルバネ３９は、スライダ３８に対し、それを図４の左方に引き寄せようとする力を及ぼす。スライダ３８には巻取リール４０から繰り出されたケーブル４１も連結される。巻取リール４０には電動機４２から回転力が伝えられる。
【００４２】
電動機４２を駆動して巻取リール４０を回転させると、巻取リール４０にケーブル４１が巻き取られ、スライダ３８は引張コイルバネ３９に抗して図４の右方に手繰り寄せられる。電動機４２が巻取リール４０を逆回転させるか、あるいはクラッチ機構で電動機４２と巻取リール４０の連結を絶ち、巻取リール４０が自由に回転できるようにすると、引張コイルバネ３９はスライダ３８を図４の左方に引き寄せる。このように、引張コイルバネ３９の張力と電動機４２による牽引力でスライダ３８を固定ガイドレール３７に沿って移動させ、露取り部材２０に動きを与える。熱交換器１から水が十分に吸収されるか払い落とされるかするまで、露取り部材２０の動きが続けられる。
【００４３】
第３実施形態の構成では、熱交換器１の外面に付着した水あるいは熱交換器１のコルゲートフィン６の隙間等からにじみ出した水を露取り部材２０で吸収するか、物理的に払い落とすかするので、結露水を速やかに取り除くことができる。
【００４４】
続いて本発明の第４実施形態を図５及び図６に基づき説明する。図５は熱交換器及びこれに組み合わせられる露取り装置の概略構造を示す側面図、図６は図５の熱交換器と露取り装置の組み合わせの概略構造を示す正面図である。
【００４５】
第４実施形態の基本的な構成は第１実施形態あるいは第２実施形態と同じであり、露取り部材２０の構成のみがそれらと異なっている。すなわち第４実施形態の露取り部材２０は、両端の閉じた樋状の保持枠２４を備える。保持枠２４の両端からは排水管２５が下向きに突き出す。保持枠２４の長手方向の内側壁のうち、下側に位置する内側壁に沿って、軟質のゴムまたは合成樹脂からなるスクレーパ２６が取り付けられている。
【００４６】
露取り部材２０が下から上へ移動すると、熱交換器１の下向き（風下側）になった外面側に集まっている水がスクレーパ２６でかき落とされる。水は保持枠２４の中に落ち、両側の排水管２５から排水される。排水箇所が排水管２５だけなので、それを受け止める仕組みを容易に構成することができる。
【００４７】
第４実施形態の構成では、熱交換器１の外面に付着した水あるいは熱交換器１のコルゲートフィン６の隙間等からにじみ出した水を露取り部材２０で物理的にかき落とすので、結露水を速やかに取り除くことができる。
【００４８】
続いて本発明の第５実施形態を図７に基づき説明する。図７は熱交換器及びこれに組み合わせられる露取り装置の概略構造を示す側面図である。
【００４９】
第５実施形態は、露取り装置１０の仕組みが第４実施形態までのものと根本的に異なる。すなわち第５実施形態では、熱交換器１を通過する空気から塵埃を捕捉する集塵フィルタ２７により露取り部材２０が構成される。
【００５０】
集塵フィルタ２７は不織布等吸水性を備えた材料からなり、熱交換器１の通風領域、すなわち上部ヘッダパイプ２と下部ヘッダパイプ３が上下の境界をなし、一番端の偏平チューブ４同士が左右の境界をなす領域とほぼ同大の形状及び面積を有する。集塵フィルタ２７は格子状の枠２７ａに張られ、偏平チューブ４の列に対峙している。駆動部３０を構成するのは枠２７ａを支える複数のソレノイド４３である。ソレノイド４３は、枠２７ａとそれに張られた集塵フィルタ２７を、熱交換器１の外面に接触する位置または外面から離間する位置にいずれかに移動させる。
【００５１】
集塵フィルタ２７は通常は熱交換器１の外面から離間する位置に保持されており、この位置で、熱交換器１を通過する気流から塵埃を捕捉する。このため、熱交換後の空気を、塵埃の少ない、清浄な空気として送り出すことができる。
【００５２】
熱交換器１を蒸発器として用いる（例えば空気調和機の室内側熱交換器として使用し、冷房運転を行うと、熱交換器１は蒸発器の働きをすることになる）と、その表面に結露が生じる。結露水が発生するのに呼応して露取り装置１０が動作する。ソレノイド４３に励磁電流が流されると、ソレノイド４３はプランジャを突き出し、枠２７ａとそれに張られた集塵フィルタ２７を熱交換器１の方へ押し出す。これにより集塵フィルタ２７は熱交換器１の下向き（風下側）になった外面に接触し、そこに集まっている水を吸収する。水を吸収するに十分な時間集塵フィルタ２７を熱交換器１に押し付けた後、ソレノイド４３の励磁が解除され、集塵フィルタ２７は熱交換器１の外面から離間する位置に復帰する。
【００５３】
第５実施形態の構成では、熱交換器１の外面に付着した水あるいは熱交換器１のコルゲートフィン６の隙間等からにじみ出した水を集塵フィルタ２７が吸収するから、結露水を速やかに取り除くことができる。
【００５４】
集塵フィルタ２７は吸水性でなく非吸水性であってもよい。この場合は、熱交換器１と集塵フィルタ２７がこすれることで、水が物理的にかき落とされることになる。
【００５５】
続いて本発明の第６実施形態を図８に基づき説明する。図８は熱交換器及びこれに組み合わせられる露取り装置の概略構造を示す側面図である。
【００５６】
第６実施形態は、熱交換器１を通過する空気から塵埃を捕捉する集塵フィルタにより露取り部材２０が構成される点は第５実施形態と同じであるが、集塵フィルタ及び駆動部３０の構成が第５実施形態と異なる。すなわち第６実施形態の集塵フィルタ２８は、熱交換器１の周囲を一巡する無端ベルト形状のものとして構成されている。集塵フィルタ２８は一番端の偏平チューブ４同士の間隔とほぼ同じ横幅を有し、熱交換器１を縦方向回りに、すなわち上部ヘッダパイプ２と下部ヘッダパイプ３を内部に取り込む形で一巡する。
【００５７】
複数の水平な案内ローラ２９が集塵フィルタ２８をぴんと張った状態に保持する。案内ローラ２９のうち２本は熱交換器１の下向き（風下側）になった外面に集塵フィルタ２８を押し付ける役割を果たしている。また案内ローラ２９の１本は原動ローラとして使用され、電動機４４がこれに回転力を与える。
【００５８】
集塵フィルタ２８は熱交換器１の両側に存在するので、熱交換器１を通過する気流から２度にわたり塵埃を捕捉することになる。このため、熱交換後の空気を、塵埃の少ない、清浄な空気として送り出すことができる。
【００５９】
熱交換器１の下向き（風下側）になった外面に集まった水は、その面に接触している集塵フィルタ２８により吸収される。適当なタイミングで電動機４４が運転され、集塵フィルタ２８の中で熱交換器１の外面に接触している部分は、当該外面と平行に移動せしめられる。これにより、集塵フィルタ２８の中で、熱交換器１に接触している部分と、熱交換器１から離れていて、吸収された水が蒸発して行く部分とが入れ替えられる。
【００６０】
第６実施形態の構成では、熱交換器１の外面に付着した水あるいは熱交換器１のコルゲートフィン６の隙間等からにじみ出した水を集塵フィルタ２８が吸収するから、結露水を速やかに取り除くことができる。
【００６１】
集塵フィルタ２８は吸水性でなく非吸水性であってもよい。この場合は、熱交換器１と集塵フィルタ２８がこすれることで、水が物理的にかき落とされることになる。
【００６２】
続いて本発明の第７実施形態を図９に基づき説明する。図９は熱交換器と露取り装置の組み合わせの概略構造を示す正面図である。
【００６３】
第７実施形態は、露取り部材装置１０の仕組みは第１実施形態と同じである。異なっているのは熱交換器の方であって、ここではフィンアンドチューブ型の熱交換器１００が用いられている。
【００６４】
フィンアンドチューブタイプ熱交換器１００は多数のフィン１０１と１本の蛇行するチューブ１０２を備える。個々のフィン１０１は上下方向を長手方向とする短冊形状であり、それが多数、互いの間に所定の隙間を置いて水平方向に並んでいる。このフィン１０１の集団をチューブ１０２が、上から下へと蛇行して縫うように貫通する。チューブ１０２の内部は冷媒を流通させる冷媒通路となる。露取り部材２０は熱交換器１００を横断する形で水平に延び、左端のフィン１０１から右端のフィン１０１まで、熱交換器１００の横幅をカバーする。
【００６５】
熱交換器１００を蒸発器として用いる（例えば空気調和機の室内側熱交換器として使用し、冷房運転を行うと、熱交換器１は蒸発器の働きをすることになる）と、その表面に結露が生じる。結露水が発生するのに呼応して露取り装置が動作し、露取り部材２０をフィン１０１の長手方向に移動させる。熱交換器１００から水が十分に吸収されるまで、露取り部材２０の動きが続けられる。
【００６６】
第７実施形態の構成では、熱交換器１００の外面に付着した水あるいは熱交換器１００のフィン１０１の隙間等からにじみ出した水を露取り部材２０で吸収するので、結露水を速やかに取り除くことができる。
【００６７】
第１実施形態のパラレルフロー型熱交換器１をフィンアンドチューブ型熱交換器１００で置き換えたものが第７実施形態であるのと同様に、第２実施形態から第６実施形態までのパラレルフロー型熱交換器１をフィンアンドチューブ型熱交換器１００で置き換えた実施形態も可能である。フィンアンドチューブ型熱交換器１００をさらにサーペンタイン型熱交換器で置き換えた実施形態も可能である。
【００６８】
上述した熱交換器の露取り装置は、空気調和機に搭載することができる。空気調和機の室内側熱交換器は、冷房時には蒸発器として機能するので、結露水が発生する。この結露水を本発明による露取り装置で取り除くことができる。また空気調和機の室外側熱交換器は、暖房時には蒸発器として機能するので結露水が発生するが、戸外の気温が低いとその結露水が霜として付着することもある。霜を除去するために実施される除霜運転で発生した除霜水も、本発明による露取り装置で取り除くことができる。
【００６９】
以上、本発明の各実施形態につき説明したが、本発明の範囲はこれに限定されるものではなく、発明の主旨を逸脱しない範囲で種々の変更を加えて実施することができる。
【産業上の利用可能性】
【００７０】
本発明は蒸発器として用いられる熱交換器に広く利用可能である。
【図面の簡単な説明】
【００７１】
【図１】本発明の第１実施形態に係る、熱交換器及びこれに組み合わせられる露取り装置の概略構造を示す側面図
【図２】図１の熱交換器と露取り装置の組み合わせの概略構造を示す正面図
【図３】本発明の第２実施形態に係る、熱交換器及びこれに組み合わせられる露取り装置の概略構造を示す側面図
【図４】本発明の第３実施形態に係る、熱交換器と露取り装置の組み合わせの概略構造を示す正面図
【図５】本発明の第４実施形態に係る、熱交換器及びこれに組み合わせられる露取り装置の概略構造を示す側面図
【図６】図５の熱交換器と露取り装置の組み合わせの概略構造を示す正面図
【図７】本発明の第５実施形態に係る、熱交換器及びこれに組み合わせられる露取り装置の概略構造を示す側面図
【図８】本発明の第６実施形態に係る、熱交換器及びこれに組み合わせられる露取り装置の概略構造を示す側面図
【図９】本発明の第７実施形態に係る、熱交換器と露取り装置の組み合わせの概略構造を示す正面図
【図１０】パラレルフロー型熱交換器の一例を示す図
【符号の説明】
【００７２】
１    パラレルフロー型熱交換器
２、３  ヘッダパイプ
４    偏平チューブ
５    冷媒通路
６    コルゲートフィン
７    冷媒流入口
８    冷媒流出口
１０  露取り装置
２０  露取り部材
２７、２８  集塵フィルタ
３０  駆動部
１００  フィンアンドチューブ型熱交換器
１０１  フィン
１０２  チューブ
【図１】
2010025442.tif 000003
【図２】
2010025442.tif 000004
【図３】
2010025442.tif 000005
【図４】
2010025442.tif 000006
【図５】
2010025442.tif 000007
【図６】
2010025442.tif 000008
【図７】
2010025442.tif 000009
【図８】
2010025442.tif 000010
【図９】
2010025442.tif 000011
【図１０】
2010025442.tif 000012